(57)【要約】  円盤式増磁直流発電機は、ドラグモータと直流発電機、ディスクブラシ導電出力装置から成る純磁気エネルギーの直流発電機である。直流発電機の固定子は、永久磁石の磁気源と増磁コイルと筐体から成る。回転子は、発電機盤と軸及び軸内の導電端子から成る。ドラグモータと直流発電機は同じの軸を使う。モータがスイッチを入れて回転すると、発電機盤の回転子は磁力線をカットして発電する。電気設備は電気を使う時、電流が発生する。電流は増磁コイルを通すと、増磁コイルは磁気電位が発生する。直流発電機の磁気源の磁場強度を強め、磁束は増大して、直流発電機の発電電力量が増える。直流発電機の磁気エネルギーと発電エネルギーは、すべてドラグモータの磁気エネルギーと消費電力よりはるかに大きい。直流発電機より出力する電力は、ドラグモータの消費電力よりはるかに大きい。円盤式増磁直流発電機は、コントローラーの制御によって始動稼働してから、自身の発電電源を使って稼働することができるので、いかなる燃料およびその他の動力源を使わない。
2018517390.tif 000002
【特許請求の範囲】
【請求項１】
円盤式増磁直流発電機の特徴として、ドラグモータと直流発電機、ディスクブラシ導電出力装置から成る純磁気エネルギーの直流発電機であり、1）直流発電機の固定子，永久磁石磁気ディスクは、構造用セラミックス絶縁ワッシャーを介して、発電機盤と何層も隔てて、筐体のコイルの中に固定的な永久磁石の磁気源を構成する，  磁場の方向は同じである，筐体コイルは増磁コイルのことであり、アルミテープや銅テープ（または線）で巻き付けて筐体と組み合わせるコイルであり、絶縁構造用セラミックスで筐体内に鋳造されたのである，回転子，発電機盤と構造用セラミックス絶縁発電機盤台は、永久磁石ディスクと何枚も隔てて、非磁性中空導電金属軸に嵌めて、軸内に導電端子を有し、発電機の中で発電機盤の回転子を構成する，発電機盤の構成として、アルミ合金製の発電機盤は、銅合金製の導電性リングに接続し、導電性リングは、構造用セラミックス絶縁バスに接続し、絶縁バスに陽極接続端子を設け、アルミ合金製の発電機盤に陰極接続端子を設けて構成される，発電機盤の陽極端子は次の発電機盤の陰極端子に接続する，発電機盤の直列発電回路を構成する，最後の発電機盤の陽極端子は軸内の導電端子に接続する，軸内の導電端子はディスクブラシ導電出力装置に接続し、発電機の陽極電源を出力する，一番下の発電機盤の陰極端子は底部の非磁性導電金属発電機盤台に接続する，非磁性導電金属発電機盤台は軸に接続する，軸は、ディスクブラシ導電出力装置に接続し、直流発電機の陰極電源を出力する，2）ドラグモータは、ここでは、ドラグモータは分体式構造を採用する，回転子は発電機盤の回転子と同じの軸を使う，ベアリングスリーブと固定子は直流発電機のエンドキャップに取り付ける，3）ディスクブラシ導電出力装置，陽極出力装置と陰極出力装置が内蔵する，導電ディスク、導電ディスクに設ける導電性摩擦板、電動ブラシと導電ブラシディスク台、ファンから成る，直流発電機のシャフトヘッドに取り付ける，陽極は軸内の導電端子に接続する，陰極は軸に接続する，ドラグモータがスイッチを入れて回転すると、発電機盤は相応の磁力線をカットして電流を生成し、電流は導電性リング、絶縁バスと陽極接続端子を流れて、次の発電機盤の陰極接続端子に入力する，発電の電流は直列回路より出力し、軸内の導電端子とディスクブラシ導電出力装置を経由して、増磁コイルの入力端子に入力し、増磁コイルの出力端子より直流電気を出力し、増磁コイルの陽極電源の出力端子とディスクブラシ導電出力装置の陰極電源の出力端子は、電気設備に接続する，電気設備は電気を使う時、電流が発生する，電流は増磁コイルを通すと、増磁コイルは磁気電位が発生する，増磁コイルの磁気電位は、直流発電機の磁気源に加入し、直流発電機の磁気源の磁場強度を強め、磁束は増大して、直流発電機の発電電力量が増える，このような増磁コイルの増磁方式は「自己増加」と言う，増磁コイルの増磁電流と電気設備の電流が分けることができる，専門的に増磁コイルの増磁電流を設ける，このような増磁方式は「他方増加」と言う，直流発電機によって生成された電力は、電気設備に直接使用することができる，  1台の直流発電機に上記の2種類の増磁方式がある場合、「複合増加」と言う，増磁コイルによる磁気電位＝コイル巻数×電流（A），増磁コイルの巻数または電流を調整すると、発電機の出力電力を変えることができ、発電機の回転数を調整すると、V=BIu[V]、発電機の出力電力を調整することができる，双方向で調整すると、発電機の出力電気は、低圧から高圧までの出力範囲が非常に広くなるので、様々な電気設備の使用の需要を満たすことができる，4）発電機盤と永久磁石磁気ディスクで発電し、増磁コイルで増磁し、発電機の軸と軸内の導電端子で直流電気を出力するのは、増磁直流発電機の技術上の重要なポイントである，円盤式増磁直流発電機のモデルとして、立型、横型、立型と横型の両用式がある。
【請求項２】
発電機盤の構成が、アルミ合金製の発電機盤が銅合金製の導電性リングに接続し、導電性リングが絶縁バスに接続し、絶縁バスには陽極接続端子を設け、アルミ合金製の発電機盤には陰極接続端子を設けて、軸と構造用セラミックス絶縁発電機盤台と組み合わせて使うことを特徴とする請求項1に記載の円盤式増磁直流発電機。
【請求項３】
永久磁石磁気ディスク内に丸い穴があり、穴の外縁の中心部が突起し、絶縁ワッシャーと組み合わせて使うことを特徴とする請求項1に記載の円盤式増磁直流発電機。
【請求項４】
非磁性中空導電金属軸の軸内に導電端子を有し、軸の外側に4つの棒状突起物があることを特徴とする請求項1に記載の円盤式増磁直流発電機。
【請求項５】
筐体コイル、筐体内に絶縁コイルが鋳造されたことを特徴とする請求項1に記載の円盤式増磁直流発電機。
【請求項６】
ベアリングスリーブのなかに深溝玉軸受とスラスト玉軸受があり、ベースにねじ穴とジャッキ穴があり、直流発電機のエンドキャップと合わせて使い、直流発電機のエンドキャップの外側にベアリングスリーブ台が設けることを特徴とする請求項1に記載の円盤式増磁直流発電機。
【請求項７】
ディスクブラシ導電出力装置内に陽極出力装置と陰極出力装置があり、導電ディスク、導電ディスクに設ける導電性摩擦板、電動ブラシと導電ブラシディスク台、ファンから成り、陽極の導電ディスクは軸内の導電端子に接続し、陰極の導電ディスクは軸に接続し、電動ブラシは導電ブラシディスク台に取り付け、導電ブラシディスク台は絶縁ブラケットによって固定され、導電ブラシディスク台に接線端子を設けており、3つのファンがあり、陽極ファンはシャフトヘッドに固定され、陰極ファンとモータファンは陰極導電ディスクに取り付けることを特徴とする請求項1に記載の円盤式増磁直流発電機。
【請求項８】
非磁性導電金属発電機盤台が軸に固定し、発電機盤と導電で接続することを特徴とする請求項1に記載の円盤式増磁直流発電機。
【請求項９】
絶縁発電機盤台が軸に固定し、発電機盤と絶縁で接続することを特徴とする請求項1に記載の円盤式増磁直流発電機。
【発明の詳細な説明】
【技術分野】
【０００１】
本願発明は、工業、農業、民間および交通の電気使用需要を満たすための、純磁気エネルギーの直流発電機に関するものである。
【背景技術】
【０００２】
今までは、主に原子力発電、水力発電、火力発電、エネルギーに依存して発電する。エネルギーを燃やすと、環境を汚染し、使用不便である。純磁気エネルギー直流発電機がないのである。
【発明の概要】
【０００３】
円盤式増磁直流発電機は、ドラグモータと直流発電機とディスクブラシ導電出力装置から成る純磁気エネルギーの直流発電機であり、高エネルギー高品質の直流発電機である。直流発電機の磁気エネルギーと発電エネルギーは、すべてドラグモータの磁気エネルギーと消費電力よりはるかに大きいので、直流発電機による電力はドラグモータ型番の電力よりはるかに大きいのである。円盤式増磁直流発電機は始動運転後、自身の発電電源を利用して運転することができ、いかなる燃料や他の動力源を使う必要がない。
【０００４】
円盤式増磁直流発電機は3つの部分からなる。1、直流発電機の固定子。永久磁石磁気ディスクは、構造用セラミックス絶縁ワッシャーを介して、発電機盤と何層も隔てて、筐体のコイルの中に固定的な永久磁石の磁気源を構成する。  磁場の方向は同じである。[筐体コイル（増磁コイル）は、アルミテープや銅テープ（線）で巻き付けて筐体と組み合わせるコイルであり、絶縁構造用セラミックスで筐体内に鋳造されたのである]。回転子。発電機盤「（発電機盤は、アルミ合金製の発電機盤が銅合金製の導電性リングに接続し、導電性リングが絶縁バスに接続し、絶縁バスには陽極接続端子を設け、アルミ合金製の発電機盤には陰極接続端子を設けて構成される）アルミ合金製の発電機盤は回転して磁力線をカットして電流を生成し、電流は導電性リングを流れて絶縁バスに入り、陽極端子によって、次の発電機盤の陰極接続端子に入力する。」と構造用セラミックス絶縁発電機盤台は、永久磁石ディスクと何枚も隔てて、非磁性中空導電金属軸（軸内に導電端子を有する）に嵌めて、直流発電機の中で発電機盤の回転子を構成する。発電機盤の陽極端子は次の発電機盤の陰極端子に接続する。発電機盤の直列発電回路を構成する。最後の発電機盤の陽極端子は軸内の導電端子に接続する。軸内の導電端子はディスクブラシ導電出力装置に接続し、発電機の陽極電源を出力する。筐体コイルの入力端子に接続し、筺体コイルの出力端子から陽極直流電気を出力する。一番下の発電機盤の陰極端子は底部の非磁性導電金属発電機盤台に接続する。非磁性導電金属発電機盤台は軸に接続する。軸は、ディスクブラシ導電出力装置に接続し、発電機の陰極電源を出力する。2、ドラグモータ（ここでは、ドラグモータは分体式構造を採用）。ドラグモータの回転子は発電機盤の回転子と同じの軸を使う。ベアリングスリーブと固定子は直流発電機のエンドキャップに取り付ける。3、ディスクブラシ導電出力装置。陽極出力装置と陰極出力装置が内蔵する。導電ディスク（導電ディスクに導電性摩擦板を設ける）、電動ブラシと導電ブラシディスク台、ファンから成る。発電機のシャフトヘッドに取り付ける。陽極の導電ディスクは軸内の導電端子に接続する。陰極の導電ディスクは軸に接続する。ドラグモータがスイッチを入れて回転すると、発電機盤は相応の磁力線をカットして電流を生成し、電流は導電性リング、絶縁バスを流れて、次の発電機盤の陰極接続端子に入力する。発電の電流は直列回路より出力し、軸内の導電端子とディスクブラシ導電出力装置を経由して、筐体コイルの入力端子に入力し、筐体コイルの出力端子より直流電気を出力し、筐体コイルの陽極電源の出力端子とディスクブラシ導電出力装置の陰極電源の出力端子は、電気設備に接続する。電気設備は電気を使う時、電流が発生する。電流は筐体コイルを通すと、筐体コイルは磁気電位が発生する。筐体コイルの磁気電位は、直流発電機の磁気源に加入し、直流発電機の磁気源の磁場強度を強め、磁束は増大して、直流発電機の発電電力量が増える。このような筐体コイルの増磁方式に「自己増加」と名付ける。筐体コイルの増磁電流と電気設備の電流が分けることができる。専門的に増磁コイルの増磁電流を設ける。このような増磁方式に「他方増加」と名付���る。直流発電機によって生成された電力は、電気設備に直接使用することができる。  1台の発電機に上記の2種類の増磁方式がある場合、「複合増加」と名付ける。円盤式増磁直流発電機におけるドラグモータの電気使用、増磁コイルの電気使用について、他の電源を使うか、それとも発電機自身によって生成された電力を使うかを問わず、すべてモータの前に、および増磁コイルの前に、制御装置を設置する必要があり、それによって発電機の回転数を調節し、V＝Blu「V」、および増磁コイルの巻数や電流を調整し、電位＝コイル巻数×電流（A）。双方向調節可能なので、各種の電気設備の需要を満たすことができる。
【０００５】
（1）円盤式増磁直流発電機の永久磁石磁気ディスクが薄ければ薄いほど、磁場の強度は良くなる。その厚みは永久磁石磁気ディスクの磁場の強度及び作業需要によって決める。アルミ合金製の発電機盤の厚みは2永久磁石磁気ディスクの磁場の強度によって決める。
【０００６】
（2）立型円盤式増磁直流発電機のベースに3つの点検口を設けるので、小型および中型の直流発電機の底部のベアリングは取り出して点検修理することができる。大型の直流発電機は、人間が入って点検修理することができる。
【０００７】
（3）動的バランスを確保するために、発電機盤を取り付ける時、層と層の間は90度を回転して取り付けに接続をしなければならない。
【０００８】
（4）ベアリングスリーブにネジ穴を増設し、ジャッキでベアリングスリーブを押し出してから、ベアリングを交換する。
【０００９】
（5）注意すべき点として、円盤式増磁直流発電機は、永久磁石磁気ディスク、ドラグモータでは磁性材料を使わなければならないほか、すべて非磁性材料で製作するべきである。
【００１０】
有益な効果
【００１１】
円盤式増磁直流発電機は、体積が小さく、電力が大きく、重量が軽く、機種が多く、規格が様々。工業、農業、民間、航空機、船舶、自動車および各種の交通工具の電力使用の需要を満たすことができる。
【００１２】
円盤式増磁直流発電機は、使用とメンテナンスは便利。発電機は完全密閉型であるので、メンテナンスフリーである。ベアリングと電動ブラシは発電機の外側にあり、定期的に交換するだけで済む。
【００１３】
直流電気は高エネルギーの電気と万能な電気である。直流電気設備は、体積が小さく、応答が速く、騒音が低く、寿命が長く、運転性能が素晴らしい。今、直流の使用量はすでに交流の使用量を超えた。円盤式増磁直流発電機の使用は、移動式DC電源の使用と同じ便利であり、自分の近くで取り付けて使用することができる。
【００１４】
円盤式増磁直流発電機を使って、直流を使うと、大きな利益を得ることができ、清潔な美しい環境を維持する。円盤式増磁直流発電機の比類なき優れた性能によって、発展のために活力を与える。
【図面の簡単な説明】
【００１５】
【図１】（横型）円盤式増磁直流発電機：1直流発電機。2ドラグモータ。3ディスクブラシ導電出力装置。4軸内導電端子。5永久磁石磁気ディスク。6発電機盤。7構造用セラミックス絶縁発電機盤台。8非磁性導電金属発電機盤台。9絶縁増磁コイル付きの筐体。コイルの両端が接続端子から引き出す。10発電機軸（非磁性中空導電金属軸、軸内に導電端子付き）。11ファン。全部で3つのファンがあり、陽極ファン、陰極ファン、モータファン。陽極ファンはシャフトヘッドに固定している。負極ファンとモータファンは軸に接続した導電ディスクに固定している。12換気扇。13筐体コイルの入力端子。14筐体コイルの出力端子。15空気入口。16シーリングワッシャー。17構造用セラミックス絶縁ワッシャー。18ベアリングスリーブ。（そのなかに深溝玉軸受とスラスト玉軸受があり、ベアリングスリーブは発電機のエンドキャップに固定し、固定ネジの間にネジ穴を設けているので、ベアリングを交換する時、ジャッキ穴にジャッキを取り付けて、ベアリングスリーブを押し出してからベアリングを交換する）。19非磁性金属エンドキャップ。20電動ブラシ。21陽極導電ディスク。22陰極導電ディスク。
【００１６】
【図２】円盤式増磁直流発電機図1の要約構造図である。1直流発電機。2ドラグモータ。3ディスクブラシ導電出力装置。5永久磁石磁気ディスク。6発電機盤。9増磁コイル。
【００１７】
【図３】発電機盤の原理図と局部断面図である。1アルミ合金製の発電機盤。2銅合金製の導電性リング。3構造用セラミックス絶縁バス。（）は陽極と陰極の接続端子である。
【００１８】
【図４】ディスクブラシ導電出力装置の俯瞰局部断面図である。1高強度絶縁ブラケット。2陰極電動ブラシファン。3陰極電源出力接続端子。4陰極通気口。5陽極通気口。6電動ブラシスペース。7陽極電動ブラシファン。8陽極電源出力接続端子。9陽極電源出力電動ブラシ。10陽極導電ブラシディスク台。11陰極導電ブラシディスク台。12陰極電源出力電動ブラシ。
【００１９】
【図５】（立型と横型の両用式）円盤式増磁直流発電機。1ディスクブラシ導電出力装置。2電動ブラシ。3ファン。全部で3つのファンがあり、陽極ファン、陰極ファン、モータファン。陽極ファンはシャフトヘッドに固定している。負極ファンとモータファンは軸に接続した導電ディスクに固定している。4ドラグモータ。5空気入口。6筐体コイルの接続端子。7直流発電機。8ベアリングスリーブ。9点検口。10立型ベース。
【００２０】
【図６】（立型）円盤式増磁直流発電機。1ディスクブラシ導電出力装置。2電動ブラシ。3ファン。全部で3つのファンがあり、陽極ファン、陰極ファン、モータファン。陽極ファンはシャフトヘッドに固定している。負極ファンとモータファンは軸に接続した導電ディスクに固定している。4ドラグモータ。5空気入口。6筐体コイルの接続端子。7直流発電機。8ベアリングスリーブ。9点検口。10立型ベース。  具体的な実施方法
【００２１】
実施例1
図1に示すように、（横型）円盤式増磁直流発電機は、３部分から成る。1直流発電機。固定子。永久磁石磁気ディスク5と構造用セラミックス絶縁ワッシャー17は、発電機盤6と何層も隔てて、筐体のコイル9の中に固定的な永久磁石の磁気源を構成する。  [筐体コイル（増磁コイル）は、アルミテープや銅テープ（線）で巻き付けて筐体と組み合わせるコイルであり、絶縁構造用セラミックスで筐体内に鋳造されたのである]。回転子。発電機盤（発電機盤は、アルミ合金製の発電機盤が銅合金製の導電性リングに接続し、導電性リングが構造用セラミックス絶縁バスに接続し、絶縁バスには陽極接続端子を設け、アルミ合金製の発電機盤には陰極接続端子を設けて構成される）及び構造用セラミックス絶縁発電機盤台7は、永久磁石ディスクと何枚も隔てて、非磁性中空導電金属軸10（軸内に導電端子4を有する）に嵌めて、直流発電機の中で発電機盤の回転子を構成する。発電機盤の陽極端子は次の発電機盤の陰極端子に接続する。発電機盤の直列発電回路を構成する。最後の発電機盤の陽極端子は軸内の導電端子に接続する。軸内の導電端子はディスクブラシ導電出力装置3の陽極導電ディスク21に接続し、導電摩擦板、電動ブラシ20を経由して発電機の陽極電源を出力する。筐体コイルの入力端子13に接続し、筺体コイルの出力端子14から陽極直流電気を出力する。一番下の発電機盤の陰極端子は底部の非磁性金属発電機盤台8に接続する。非磁性金属発電機盤台は軸に接続する。軸は、ディスクブラシ導電出力装置3の陰極導電ディスク22に接続し、摩擦板、電動ブラシを経由して、発電機の陰極電源を出力する。2、ドラグモータ（ここでは、ドラグモータは分体式構造を採用）。ドラグモータの回転子は発電機盤の回転子と同じの軸を使う。ベアリングスリーブと固定子は直流発電機のエンドキャップに取り付ける。3、ディスクブラシ導電出力装置。陽極出力装置と陰極出力装置が内蔵する。導電ディスク（導電ディスクに導電性摩擦板を設ける）、電動ブラシ20と導電ブラシディスク台、ファンから成る。発電機のシャフトヘッドに取り付ける。陽極の導電ディスクは軸内の導電端子に接続する。陰極の導電ディスクは軸に接続する。電動ブラシは導電ブラシディスク台に取り付け、導電ブラシディスク台は絶縁ブラケットによって筐体に固定する。導電ブラシディスク台に接線端子を設けているので、ドラグモータがスイッチを入れて回転すると、発電機盤は相応の磁力線をカットして電流を生成し、電流は導電性リング、絶縁バスの陽極接続端子を流れて、次の発電機盤の陰極接続端子に入力する。発電の電流は直列回路より出力し、軸内の導電端子とディスクブラシ導電出力装置を経由して、筐体コイルの入力端子に入力し、筐体コイルの出力端子より直流電気を出力する。筐体コイルの陽極電源の出力端子とディスクブラシ導電出力装置の陰極電源の出力端子は、電気設備に接続する。電気設備は電気を使う時、電流が発生する。電流は筐体コイルを通すと、筐体コイルは磁気電位が発生する。筐体コイルの磁気電位は、直流発電機の磁気源に加入し、直流発電機の磁気源の磁場強度を強め、磁束は増大して、直流発電機の発電電力量が増える。このような筐体コイルの増磁方式に「自己増加」と名付ける。円盤式増磁直流発���機の前に、制御装置を設置し、それによって発電機の回転数を調節し、V＝Blu「V」。円盤式増磁直流発電機の出力電力を調整する。電位＝コイル巻数×電流（A）。コイル巻数をしっかりと確認すれば、電気設備の設計と使用の需要を満たすことができる。
【００２２】
例えば、明細書の添付図面の図1は1対10の割合であり、（1）発電機の永久磁石の磁気源の磁気ディスクの直径は1050mm、内径は280mm、平均面積は0.768m2。合計で21枚の永久磁石磁気ディスクがあり、磁気エネルギー面積は16m2。直流発電機は逆電磁力がないので、5.5キロワットまたは7.5キロワットのモータを使ってドラグモータとすれば、直流発電機をドラグして稼働させる需要を満たすことができる。ドラグモータの磁気エネルギー面積は0.05m2。発電機の磁気エネルギー面積は、ドラグモータの磁気エネルギー面積より300倍以上大きい。（2）負荷による磁気の電位は、永久磁石の磁気源内に注入するので、発電機のエネルギーが増大する。（3）発電機盤固定子の発電機盤の直径は1050mm、厚みは15mm〜20mm。20個の発電機盤は、直流発電機の最大磁気エネルギーの発電需要を満たすことができる。直流発電機とドラグモータは同じ軸を使って運転し、直流発電機の発電エネルギーはドラグモータの消費電力より300倍以上大きい。直流発電機より出力する電力は、ドラグモータの消費電力よりはるかに大きい。説明：（1）発電機の磁気エネルギー面積は16m2。ドラグモータの磁気エネルギー面積より300倍以上大きく、約1500キロワット。これは発電機の初期発電面積。（2）磁気電位＝コイル巻数×電流（A）。増磁コイルを20巻に設定すると、負荷電流のキロワット毎は4.5（A）になる。  磁気電位＝負荷電力×4.5（A）×20巻。これによれば、増磁コイルが発生する発電エネルギーは負荷消費電力より大きい。増磁コイルの巻数の増減によって、発電機の出力電力量を変えることができる。(3)V=Blu  [V]。コントローラーの制御によって、円盤式増磁直流発電機は設定値の範囲内で安定に稼働し、設定値を変えると、出力電力を変えることができる。発電機内の巨大なエネルギーは、発電面積および増磁コイルによる発電エネルギーによって反映される。図1の発電機の最大出力電力は1500キロワットを超えることができる。（この発電機はエネルギー保存の法則に違反していない）（4）図1の発電機は逆電磁力がないので、5.5キロワットまたは7.5キロワットのモータを使ってドラグモータとすれば、図1の発電機の稼働発電の需要を満たすことができる。
【００２３】
（1）図2は円盤式増磁直流発電機の図1の要約構造図である。直流発電機1、ドラグモータ2、ディスクブラシ導電出力装置3から成る。直流発電機の中に、永久磁石磁気ディスク5、発電機盤6、増磁コイル9がある。
【００２４】
（2）図1は、発電機盤の原理図と局部断面図3である。発電機盤の構成として、アルミ合金製の発電機盤1は、銅合金製の導電性リング2に接続し、導電性リングは、絶縁バス3に接続し、絶縁バスに陽極接続端子を設け、アルミ合金製の発電機盤に陰極接続端子を設けて構成される。ここでは、アルミニウムの発電性能は最も良くて、銅の導電性能は最も良い。アルミ合金製の発電機盤は回転して磁力線をカットして電流を生成し、電流は導電性リングを流れて絶縁バスに入り、陽極端子によって、次の発電機盤の陰極接続端子に入力する。
【００２５】
（3）図1は、ディスクブラシ導電出力装置3である。陽極出力装置と陰極出力装置が内蔵する。導電ディスク21、22（導電ディスクに導電性摩擦板を設ける）、電動ブラシ20と導電ブラシディスク台と接続端子、ファンから成る。陽極導電ディスク21は軸内の導電端子に接続し、陰極導電ディスク22は軸に接続する。電動ブラシは導電ブラシディスク台に取り付け、導電ブラシディスク台は絶縁ブラケットによって筐体に固定する。導電ブラシディスク台に接線端子を設ける。3つのファンがあり、陽極ファンはシャフトヘッドに取り付ける。負極ファンとモータファンは陰極の導電ディスクに取り付ける。発電機は回転して発電する時、電流は導電ディスク、電動ブラシ、導電ブラシディスク台および接続端子を流れて直流電気を出力する。図4は、ディスクブラシ導電出力装置の俯瞰局部断面図である。
【００２６】
実施例2
図5に示すように、（立型と横型の両用式）円盤式増磁直流発電機は、図1の横型円盤式増磁直流発電機を踏まえて変えて、（立型と横型の両用式）円盤式増磁直流発電機を構成したのである。図1の横型円盤式増磁直流発電機と異なる場所は次の通り。直流発電機7の陰極側に立型ベース10を取り付けて、ドラグモータ4は直流発電機の陽極側に取り付ける。（ドラグモータは分体式構造を採用）回転子は直流発電機の回転軸に取り付け、固定子は発電機のエンドキャップに固定する。ディスクブラシ導電出力装置1は、ドラグモータ筐体の延長部位に取り付ける。（直流発電機の軸は相応的に長くする）、陽極導電ディスクは軸内の導電端子に接続し、陰極導電ディスクは軸に接続する。底部のエンドキャップは厚くして、それによって、底部のエンドキャップの荷重は使用要件を満たす。直流発電機の立型ベースに、3つの点検口9を設ける。ほかは、図1の（横型）円盤式増磁直流発電機と同じである。
【００２７】
実施例3
図6に示すように、（立型）円盤式増磁直流発電機は、図5の（立型と横型の両用式）円盤式増磁直流発電機を踏まえて、横型ベースを取り除いてから、（立型）円盤式増磁直流発電機を構成したのである。
【図１】
2018517390.tif 000003
【図２】
2018517390.tif 000004
【図３】
2018517390.tif 000005
【図４】
2018517390.tif 000006
【図５】
2018517390.tif 000007
【図６】
2018517390.tif 000008
【国際調査報告】
2018517390.tif 000009
2018517390.tif 000010
2018517390.tif 000011
2018517390.tif 000012